(57)【特許請求の範囲】
【請求項１】
クライアント端末であって、
アクセスポイントと通信するための第１の通信インターフェースと、
ホスト端末と通信するための第２の通信インターフェースと、
前記第１の通信インターフェースと前記第２の通信インターフェースとの間に結合された処理回路であって、
前記クライアント端末のプロキシとして動作するように要求するメッセージを前記ホスト端末に送信し、
前記第１の通信インターフェースを電源切断し、
前記第２の通信インターフェースを介して前記ホスト端末からのページングメッセージをリッスンし、
前記アクセスポイントによって送信され、前記ホスト端末によって受信されたページングメッセージの少なくとも一部分を、前記ホスト端末から受信し、
前記第１の通信インターフェースを電源投入し、
前記第１の通信インターフェースを介して、前記ページングメッセージを開始した前記アクセスポイントに対して直接前記ページングメッセージに応答する、
ように構成された処理回路と、
を備え、
前記ページングメッセージを受信するための前記第２の通信インターフェースを使用することは、前記第１の通信インターフェースを使用する場合よりも電力消費が少ない、クライアント端末。
【請求項２】
前記ページングメッセージの前記受信した一部分は、前記クライアント端末が前記アクセスポイントに対して直接前記ページングメッセージに応答するのに十分である、請求項１に記載のクライアント端末。
【請求項３】
前記第１の通信インターフェースは、ＣＤＭＡ（符号分割多元接続（Code Division Multiple Access））対応インターフェースであり、前記第２の通信インターフェースは、任意のＢｌｕｅｔｏｏｔｈ（登録商標）対応インターフェースである、請求項１に記載のクライアント端末。
【請求項４】
前記受信したページングメッセージの前記一部分は、トラフィックチャネルおよびセクタのうちの少なくとも一方を含む、請求項１に記載のクライアント端末。
【請求項５】
前記処理回路は、
前記クライアント端末のプロキシとして動作することに同意する前記ホスト端末からの肯定応答を受信する、
ように構成される、請求項１に記載のクライアント端末。
【請求項６】
前記第１の通信インターフェースは、前記第２の通信インターフェースよりも長いレンジを有する、請求項１に記載のクライアント端末。
【請求項７】
前記第１の通信インターフェースは、前記第２の通信インターフェースよりも広い帯域幅を有する、請求項１に記載のクライアント端末。
【請求項８】
前記処理回路は、
前記クライアント端末に関連する少なくとも１つのページングチャネルを前記ホスト端末へ送信する、
ように構成される、請求項１に記載のクライアント端末。
【請求項９】
前記第１の通信インターフェースおよび前記第２の通信インターフェースのうちの少なくとも一方は、ワイヤレス通信インターフェースである、請求項１に記載のクライアント端末。
【請求項１０】
アクセスポイントと通信するための第１の通信インターフェースと、ホスト端末と通信するための第２の通信インターフェースとを用いて通信を行うにあたって、クライアント端末上で動作可能な方法であって、
前記クライアント端末のプロキシとして動作するように要求するメッセージを前記ホスト端末に送信することと、
前記第１の通信インターフェースを電源切断することと、
前記第２の通信インターフェースを介して前記ホスト端末からのページングメッセージをリッスンすることと、
前記アクセスポイントによって送信され、前記ホスト端末によって受信されたページングメッセージの少なくとも一部分を、前記ホスト端末から受信することと、
前記第１の通信インターフェースを電源投入することと、
前記第１の通信インターフェースを介して、前記ページングメッセージを開始した前記アクセスポイントに対して直接前記ページングメッセージに応答することと、
を備え、
前記ページングメッセージを受信するための前記第２の通信インターフェースを使用することは、前記第１の通信インターフェースを使用する場合よりも電力消費が少ない、方法。
【請求項１１】
前記ホスト端末によって送信された前記受信したページングメッセージの前記一部分は、前記クライアント端末が前記アクセスポイントに対して直接前記ページングメッセージに応答するのに十分な情報を含む、請求項１０に記載の方法。
【請求項１２】
前記第１の通信インターフェースは、ＣＤＭＡ（符号分割多元接続（Code Division Multiple Access））対応インターフェースであり、前記第２の通信インターフェースは、任意のＢｌｕｅｔｏｏｔｈ対応インターフェースである、請求項１０に記載の方法。
【請求項１３】
アクセスポイントと通信するための第１の通信インターフェースと、ホスト端末と通信するための第２の通信インターフェースとを用いた通信における、クライアント端末であって、
前記クライアント端末のプロキシとして動作するように要求するメッセージを前記ホスト端末に送信するための手段と、
前記第１の通信インターフェースを電源切断するための手段と、
前記第２の通信インターフェースを介して前記ホスト端末からのページングメッセージをリッスンするための手段と、
前記アクセスポイントによって送信され、前記ホスト端末によって受信されたページングメッセージの少なくとも一部分を、前記ホスト端末から受信するための手段と、
前記第１の通信インターフェースを電源投入するための手段と、
前記第１の通信インターフェースを介して、前記ページングメッセージを開始した前記アクセスポイントに対して直接前記ページングメッセージに応答するための手段と、
を備え、
前記ページングメッセージを受信するための前記第２の通信インターフェースを使用することは、前記第１の通信インターフェースを使用する場合よりも電力消費が少ない、クライアント端末。
【請求項１４】
前記ホスト端末によって送信された前記ページングメッセージの前記一部分は、前記クライアント端末が前記アクセスポイントに対して直接前記ページングメッセージに応答するのに十分な情報を含む、請求項１３に記載のクライアント端末。
【請求項１５】
前記第１の通信インターフェースおよび前記第２の通信インターフェースはいずれもワイヤレス通信インターフェースである、請求項１３に記載のクライアント端末。
【請求項１６】
アクセスポイントと通信するための第１の通信インターフェースと、ホスト端末と通信するための第２の通信インターフェースとを用いて通信を行うにあたって、クライアント端末における電力を節約するための、前記クライアント端末上で動作可能な命令であって、プロセッサによって実行されたとき、前記プロセッサに、
前記クライアント端末のプロキシとして動作するように要求するメッセージを前記ホスト端末に送信することと、
前記第１の通信インターフェースを電源切断することと、
前記第２の通信インターフェースを介して前記ホスト端末からのページングメッセージをリッスンすることと、
前記アクセスポイントによって送信され、前記ホスト端末によって受信されたページングメッセージの少なくとも一部分を、前記ホスト端末から受信することと、
前記第１の通信インターフェースを電源投入することと、
前記第１の通信インターフェースを介して、前記ページングメッセージを開始した前記アクセスポイントに対して直接前記ページングメッセージに応答することと、
を行わせる命令が記憶され、
前記ページングメッセージを受信するための前記第２の通信インターフェースを使用することは、前記第１の通信インターフェースを使用する場合よりも電力消費が少ない、プロセッサ可読記憶媒体。
【請求項１７】
前記第１の通信インターフェースおよび前記第２の通信インターフェースの両方は、ワイヤレス通信インターフェースである、請求項１６に記載のプロセッサ可読記憶媒体。
【請求項１８】
前記第１の通信インターフェースは、前記第２の通信インターフェースよりも長いレンジを有する、請求項１７に記載のプロセッサ可読記憶媒体。
【請求項１９】
アクセスポイントと通信するための第１の通信インターフェースと、ホスト端末と通信するための第２の通信インターフェースとを用いた通信におけるプロセッサであって、
クライアント端末のプロキシとして動作するように要求するメッセージを前記ホスト端末に送信し、
前記第１の通信インターフェースを電源切断し、
前記第２の通信インターフェースを介して前記ホスト端末からのページングメッセージをリッスンし、
前記アクセスポイントによって送信され、前記ホスト端末によって受信されたページングメッセージの少なくとも一部分を、前記ホスト端末から受信し、
前記第１の通信インターフェースを電源投入し、
前記第１の通信インターフェースを介して、前記ページングメッセージを開始した前記アクセスポイントに対して直接前記ページングメッセージに応答する、
ように構成された処理回路、
を備え、
前記ページングメッセージを受信するための前記第２の通信インターフェースを使用することは、前記第１の通信インターフェースを使用する場合よりも電力消費が少ない、プロセッサ。
【請求項２０】
前記第１の通信インターフェースは、前記第２の通信インターフェースよりも長いレンジを有する、請求項１９に記載のプロセッサ。
【発明の詳細な説明】
【技術分野】
【０００１】
様々な特徴は、ワイヤレス通信システムに関係する。少なくとも１つの特徴は、クライアント端末がそのプライマリ通信インターフェースを閉じたときに、プロキシホスト端末を使用してページングメッセージを受信し、セカンダリ通信インターフェースを介してクライアント端末に転送することによって、クライアント端末における電力節約を促進するためのシステムおよび方法に関係する。
【背景技術】
【０００２】
ワイヤレス信号を介して他のデバイスと通信する、ラップトップコンピュータ、携帯情報端末デバイス、携帯電話またはセルラー電話、またはプロセッサをもつ任意の他のデバイスなどのクライアント端末は、ますます普及しつつある。クライアント端末は一般にバッテリ式であり、バッテリが供給することができる電力の量は制限される。消費者が、クライアント端末上で動作する強力なアプリケーション、特に娯楽メディアおよび撮像アプリケーションを使用する場合、バッテリ電力を節約することが重要である。
【０００３】
クライアント端末は、「アクティブ」モードおよび「アイドル」モードを含む、いくつかのモードのうちの１つで動作することができる。アクティブモードでは、クライアント端末は、ワイヤレス通信システムにおいて、データ、たとえば、ボイスまたはデータの呼またはセッションを、１つまたは複数のアクセスポイント（たとえば、基地局、ＮｏｄｅＢ、フェムトセルなど）とアクティブに交換することができる。アイドルモードでは、クライアント端末は、ページングチャネル（ＰＣＨ）などの制御チャネルをページングメッセージについて監視することができる。そのようなページングメッセージは、着呼の発生についてクライアント端末に警告するメッセージと、クライアント端末のシステム情報および他の情報を伝える制御／オーバヘッドメッセージと、を含むことができる。アイドルモードでは、従来のクライアント端末は、ページングチャネルを監視するのに必要な回路を維持するために、著しい量の電力を消費することがある。すなわち、クライアント端末は、そのページングチャネル上でページングメッセージをリッスンするために、その受信機を周期的にオンにすることがある。受信機のそのような循環は、著しい電力消費を生じる。たとえば、（ＷＣＤＭＡ（広帯域符号分割多元接続（Wideband Code Division Multiple Access））を含む）ＣＤＭＡ（符号分割多元接続（Code Division Multiple Access））および／またはＧＳＭ（登録商標）（Global System for Mobile Communications）標準に準拠する通信デバイスでは、アイドルモードにおける電流消費は、受信機をオンとオフに循環させることによって、数ミリアンペア（ｍＡ）の高さになることがある。
【０００４】
この電流消費の結果、クライアント端末の利用可能なバッテリ電力が減少し、バッテリ再充電間の待機時間と、呼が発されるかまたは受信される通話時間とが短縮される。
【０００５】
したがって、クライアント端末がアイドルモードにある間、クライアント端末の電力消費を低減する解決策が必要である。
【発明の概要】
【０００６】
１つの特徴は、クライアント端末がそのプライマリ通信インターフェースを閉じている間、プロキシホスト端末を使用してクライアント端末のページングメッセージをリッスンすることによって、クライアント端末における電力節約を促進するためのシステムおよび方法を提供する。
【０００７】
ホスト端末は、第１の通信インターフェース（たとえば、高電力またはロングレンジインターフェース）と、第２の通信インターフェース（たとえば、低電力またはショートレンジインターフェース）と、第１の通信インターフェースと第２の通信インターフェースとの間に結合された処理回路と、を含むことができる。第１の通信インターフェースは、アクセスポイントと通信するために使用されることができる。第２の通信インターフェースは、クライアント端末との通信に使用されることができる。処理回路は、（ａ）クライアント端末のプロキシとして動作せよというクライアント端末からの通知を受信し、（ｂ）クライアント端末をプロキシリストに追加し、（ｃ）第１の通信インターフェースを介してクライアント端末のページングチャネル上でページングメッセージをリッスンし、（ｄ）第２の通信インターフェースを介して、受信したページングメッセージの少なくとも一部分をクライアント端末に送信し、（ｅ）ページングメッセージの一部分がクライアント端末に送信された後にクライアント端末をプロキシリストから削除し、（ｆ）および／または、プロキシとして動作せよというクライアント端末からの通知に確認応答する、ように構成されることができる。
【０００８】
第１の通信インターフェースは、所与の動作時間の間、第２の通信インターフェースよりも相対的に多くの電力を消費することができる。たとえば、第１の通信インターフェースは第２の通信インターフェースよりも長いレンジを有することができ、および／または第１の通信インターフェースは第２の通信インターフェースよりも広い帯域幅を有することができる。いくつかの実装形態では、ページングメッセージは、第１の通信インターフェースに関連する第１の通信プロトコルから、第２の通信インターフェースに関連する第２の通信プロトコルに変換されることができる。一例では、第１の通信インターフェースはＣＤＭＡ（符号分割多元接続（Code Division Multiple Access））対応インターフェースとすることができ、第２の通信インターフェースは任意のＢｌｕｅｔｏｏｔｈ（登録商標）対応インターフェースである。第１の通信インターフェースおよび第２の通信インターフェースのうちの少なくとも１つは、ワイヤレス通信インターフェースとすることができる。ホスト端末は、複数のクライアント端末に関連するページングチャネルを監視することによって、複数のクライアント端末のプロキシとして動作することができる。
【０００９】
クライアント端末からホスト端末へのプロキシ通知は、クライアント識別子、クライアント端末に関連する１つまたは複数のページングチャネル、トラフィックチャネルおよび／またはセクタのうちの少なくとも１つを含むことができる。
【００１０】
ホスト端末によってクライアント端末に送信されたページングメッセージ（またはページングメッセージの一部分）は、クライアント端末が第１の通信インターフェースを介してアクセスポイントに対して直接ページングメッセージに応答するのに十分とすることができる。たとえば、ページングメッセージは、ネットワーク識別子、システム識別子、アクセスポイント識別子、ページング識別子、および／またはクライアント端末がページングアクセスポイントと交信することおよび／またはページングメッセージに応答することを可能にする他のパラメータを含むことができる。
【００１１】
同様に、（ａ）クライアント端末のプロキシとして動作せよというクライアント端末からの通知を受信することと、（ｂ）クライアント端末をプロキシリストに追加することと、（ｃ）第１の通信インターフェースを介してクライアント端末のページングチャネル上でページングメッセージをリッスンすることと、（ｄ）ページングメッセージの一部分を第１の通信インターフェースに関連する第１の通信プロトコルから第２の通信インターフェースに関連する第２の通信プロトコルに変換することと、（ｅ）第２の通信インターフェースを介してページングメッセージの少なくとも一部分をクライアント端末に送信することと、および／または（ｆ）第２の通信インターフェースを介してページングメッセージの一部分がクライアント端末に送信された後にクライアント端末をプロキシリストから削除することと、を備える、ホスト端末上で動作可能な方法も提供される。
【００１２】
したがって、（ａ）クライアント端末のプロキシとして動作せよというクライアント端末からの通知を受信するための手段と、（ｂ）第１の通信インターフェースを介してクライアント端末のページングチャネル上でページングメッセージをリッスンするための手段と、（ｃ）ページングメッセージの一部分を第１の通信インターフェースに関連する第１の通信プロトコルから第２の通信インターフェースに関連する第２の通信プロトコルに変換するための手段と、（ｄ）第２の通信インターフェースを介してページングメッセージの少なくとも一部分をクライアント端末に送信するための手段と、を備えるホスト端末が提供される。
【００１３】
同様に、プロセッサによって実行されたとき、プロセッサに、（ａ）クライアント端末のプロキシとして動作せよというクライアント端末からの通知を受信することと、（ｂ）第１の通信インターフェースを介してクライアント端末のページングチャネル上でページングメッセージをリッスンすることと、（ｃ）ページングメッセージの一部分を第１の通信インターフェースに関連する第１の通信プロトコルから第２の通信インターフェースに関連する第２の通信プロトコルに変換することと、（ｄ）および／または第２の通信インターフェースを介してページングメッセージの少なくとも一部分をクライアント端末に送信することと、を行わせる、クライアント端末における電力節約を促進するための、ホスト端末上で動作可能な１つまたは複数の命令を有するプロセッサ可読媒体が提供される。
【００１４】
処理回路を含むプロセッサも提供され、（ａ）クライアント端末のプロキシとして動作せよというクライアント端末からの通知を受信し、（ｂ）クライアント端末においてプライマリ通信インターフェースを電源切断するために、クライアント端末にメッセージを送信し、（ｃ）第１の通信インターフェースを介してクライアント端末のページングチャネル上でページングメッセージをリッスンし、（ｄ）ページングメッセージの一部分を第１の通信インターフェースから第２の通信インターフェースに転送し、（ｅ）第２の通信インターフェースを介してページングメッセージの一部分をクライアント端末に送信する、ように構成される。
【００１５】
第１の通信インターフェースと、第２の通信インターフェースと、第１の通信インターフェースと第２の通信インターフェースとの間に結合された処理回路と、を備えるクライアント端末も提供される。第１の通信インターフェースは、アクセスポイントと通信するために使用されることができる。第２の通信インターフェースは、ホスト端末と通信するために使用されることができる。処理回路は、（ａ）クライアント端末のプロキシとして動作するように要求するメッセージをホスト端末に送信し、（ｂ）クライアント端末のプロキシとして動作することに同意するホスト端末からの確認応答を受信し、（ｃ）第１の通信インターフェースを電源切断し、（ｄ）第２の通信インターフェースを介してホスト端末からのメッセージをリッスンし、（ｅ）ホスト端末からのページングメッセージの少なくとも一部分を受信し、（ｆ）第１の通信インターフェースを電源投入し、および／または（ｇ）第１の通信インターフェースを介して、ページングメッセージを開始したアクセスポイントに対して直接ページングメッセージに応答する、ように構成されることができる。ページングメッセージの受信された一部分は、クライアント端末がアクセスポイントに対して直接ページングメッセージに応答するのに十分とすることができる。たとえば、受信されたページングメッセージの一部分は、トラフィックチャネルおよびセクタのうちの少なくとも１つを含む。ページングメッセージを受信するための第２の通信インターフェースは、第１の通信インターフェースを使用する場合よりも電力消費を少なくすることができる。第１の通信インターフェースは、第２の通信インターフェースよりも長いレンジおよび／または広い帯域幅を有することができる。ホスト端末へのメッセージは、ホスト端末への、クライアント端末に関連する少なくとも１つのページングチャネルを含むことができる。さらに、第１の通信インターフェースおよび第２の通信インターフェースのうちの少なくとも１つは、ワイヤレス通信インターフェースとすることができる。
【００１６】
同様に、（ａ）クライアント端末のプロキシとして動作するように要求するメッセージをホスト端末に送信することと、（ｂ）第１の通信インターフェースを電源切断することと、（ｃ）第２の通信インターフェースを介してホスト端末からのページングメッセージをリッスンすることと、（ｄ）ホスト端末からのページングメッセージの少なくとも一部分を受信することと、（ｅ）第１の通信インターフェースを電源投入することと、および／または（ｆ）第１の通信インターフェースを介して、ページングメッセージを開始したアクセスポイントに対して直接ページングメッセージに応答することと、を備える、クライアント端末上で動作可能な方法が提供される。
【００１７】
したがって、（ａ）クライアント端末のプロキシとして動作するように要求するメッセージをホスト端末に送信するための手段と、（ｂ）第１の通信インターフェースを電源切断するための手段と、（ｃ）第２の通信インターフェースを介してホスト端末からのページングメッセージをリッスンするための手段と、（ｄ）ホスト端末からのページングメッセージの少なくとも一部分を受信するための手段と、（ｅ）第１の通信インターフェースを電源投入するための手段と、および／または（ｆ）第１の通信インターフェースを介して、ページングメッセージを開始したアクセスポイントに対して直接ページングメッセージに応答するための手段と、を備えるクライアント端末が提供される。
【００１８】
同様に、プロセッサによって実行されたとき、プロセッサに、（ａ）クライアント端末のプロキシとして動作するようにホスト端末に要求するメッセージを送信することと、（ｂ）第１の通信インターフェースを電源切断することと、（ｃ）第２の通信インターフェースを介してホスト端末からのページングメッセージをリッスンすることと、（ｄ）ホスト端末からのページングメッセージの少なくとも一部分を受信することと、（ｅ）第１の通信インターフェースを電源投入することと、および／または（ｆ）第１の通信インターフェースを介して、ページングメッセージを開始したアクセスポイントに対して直接ページングメッセージに応答することと、を行わせる、クライアント端末において電力を節約するための、クライアント端末上で動作可能な１つまたは複数の命令を有するプロセッサ可読媒体が提供される。
【００１９】
さらに、処理回路を含むプロセッサが提供され、（ａ）クライアント端末のプロキシとして動作するように要求するメッセージをホスト端末に送信し、（ｂ）第１の通信インターフェースを電源切断し、（ｃ）第２の通信インターフェースを介してホスト端末からのページングメッセージをリッスンし、（ｄ）ホスト端末からのページングメッセージの少なくとも一部分を受信し、（ｅ）第１の通信インターフェースを電源投入し、および／または（ｆ）第１の通信インターフェースを介して、ページングメッセージを開始したアクセスポイントに対して直接ページングメッセージに応答する、ように構成される。
【００２０】
第１、第２、および第３の通信インターフェースと、第１、第２、および第３の通信インターフェースに結合された処理回路と、を備えるアクセスポイントデバイスも提供される。第１の通信インターフェースは、クライアント端末とワイヤレスで通信するために使用されることができる。第２の通信インターフェースは、クライアント端末とワイヤレスで通信するために使用されることができ、第２の通信インターフェースは、第１の通信インターフェースよりも電力効率が良い。第３の通信インターフェースは、ネットワークインフラストラクチャと通信するために使用されることができ、アクセスポイントは、クライアント端末がネットワークインフラストラクチャを介して通信することを可能にするように動作する。処理回路は、（ａ）クライアント端末のプロキシとして動作せよというクライアント端末からの通知を受信し、（ｂ）プロキシとして動作せよという通知を受信したときにクライアント端末をプロキシリストに追加し、（ｃ）第３の通信インターフェースを介してページングメッセージを受信し、（ｄ）ページングメッセージがクライアント端末を対象とする場合は、第２の通信インターフェースを介して、受信したページングメッセージの少なくとも一部分をクライアント端末に送信し、（ｅ）他の場合は、第１の通信インターフェースを介して、受信したページングメッセージをブロードキャストし、（ｆ）および／または、第１の通信インターフェースを介してページングメッセージへの応答を受信し、および／または（ｇ）ページングメッセージの一部分がクライアント端末に送信された後にクライアント端末をプロキシリストから削除する、ように構成されることができる。
【００２１】
同様に、（ａ）クライアント端末のプロキシとして動作せよというクライアント端末からの通知を受信することと、（ｂ）通信インターフェースを介して通信ネットワークへのページングメッセージを受信することと、（ｃ）プロキシとして動作せよという通知を受信したときにクライアント端末をプロキシリストに追加することと、（ｄ）ページングメッセージがクライアント端末を対象とする場合は、第２のワイヤレス通信インターフェースを介して、受信したページングメッセージの少なくとも一部分をクライアント端末に送信することと、（ｅ）他の場合は、第１のワイヤレス通信インターフェースを介して、受信したページングメッセージをブロードキャストすることと、（ｆ）ページングメッセージの一部分がクライアント端末に送信された後にクライアント端末をプロキシリストから削除することと、および／または（ｇ）第１の通信インターフェースを介してページングメッセージへの応答を受信することと、を備える、アクセスポイントデバイス上で動作可能な方法が提供される。
【００２２】
したがって、（ａ）クライアント端末のプロキシとして動作せよというクライアント端末からの通知を受信するための手段と、（ｂ）通信インターフェースを介して通信ネットワークへのページングメッセージを受信するための手段と、（ｃ）プロキシとして動作せよという通知を受信したときに、クライアント端末をプロキシリストに追加するための手段と、（ｄ）ページングメッセージがクライアント端末を対象とする場合は、第２のワイヤレス通信インターフェースを介して、受信したページングメッセージの少なくとも一部分をクライアント端末に送信するための手段と、（ｅ）他の場合は、第１のワイヤレス通信インターフェースを介して、受信したページングメッセージをブロードキャストするための手段と、（ｆ）ページングメッセージの一部分がクライアント端末に送信された後にクライアント端末をプロキシリストから削除するための手段と、および／または（ｇ）第１の通信インターフェースを介してページングメッセージへの応答を受信するための手段と、を備えるアクセスポイントデバイスが提供される。
【００２３】
同様に、（ａ）クライアント端末のプロキシとして動作せよというクライアント端末からの通知を受信し、（ｂ）通信インターフェースを介して通信ネットワークへのページングメッセージを受信し、（ｃ）プロキシとして動作せよという通知を受信したときにクライアント端末をプロキシリストに追加し、（ｄ）ページングメッセージがクライアント端末を対象とする場合は、第２のワイヤレス通信インターフェースを介して、受信したページングメッセージの少なくとも一部分をクライアント端末に送信し、（ｅ）他の場合は、第１のワイヤレス通信インターフェースを介して、受信したページングメッセージをブロードキャストし、（ｆ）第１の通信インターフェースを介してページングメッセージへの応答を受信し、および／または（ｇ）ページングメッセージの一部分がクライアント端末に送信された後にクライアント端末をプロキシリストから削除する、ように構成された処理回路を含むプロセッサが提供される。
【００２４】
さらに、プロセッサによって実行されたとき、プロセッサに、（ａ）クライアント端末のプロキシとして動作せよというクライアント端末からの通知を受信することと、（ｂ）プロキシとして動作せよという通知を受信したときにクライアント端末をプロキシリストに追加することと、（ｃ）通信インターフェースを介して通信ネットワークへのページングメッセージを受信することと、（ｄ）ページングメッセージがクライアント端末を対象とする場合は、第２のワイヤレス通信インターフェースを介して、受信したページングメッセージの少なくとも一部分をクライアント端末に送信することと、（ｅ）他の場合は、第１のワイヤレス通信インターフェースを介して、受信したページングメッセージをブロードキャストすることと、（ｆ）ページングメッセージの一部分がクライアント端末に送信された後にクライアント端末をプロキシリストから削除することと、および／または（ｇ）第１の通信インターフェースを介してページングメッセージへの応答を受信することと、を行わせる、クライアント端末において電力を節約するための、アクセスポイントデバイス上で動作可能な１つまたは複数の命令を有するプロセッサ可読媒体が提供される。
【００２５】
本特徴の機能、特性、および利点は、全体を通じて同様の参照符号が同様のものを指す図面とともに、以下に記載する詳細な説明を読めば、より明らかになろう。
【図面の簡単な説明】
【００２６】
【図１】図１は、ホスト端末がクライアント端末における電力節約を促進するためのプロキシとして働くワイヤレス通信システムを示すブロック図である。
【図２】図２は、ホスト端末がクライアント端末における電力節約を促進するためのプロキシとして働くワイヤレス通信システムの動作を示す流れ図である。
【図３】図３は、１つまたは複数のホスト端末がクライアント端末における電力節約を促進するためのプロキシとして働くことができるワイヤレス通信システムの別の例を示すブロック図である。
【図４】図４は、１つまたは複数のプロキシがクライアント端末における電力節約を促進することができるワイヤレス通信システムのさらに他の例を示すブロック図である。
【図５】図５は、プロキシデバイスがクライアント端末における電力節約を促進するように働くワイヤレス通信システムの動作を示す流れ図である。
【図６】図６は、クライアント端末における電力節約を促進するためのプロキシとして働くように構成されたホスト端末の一例のブロック図である。
【図７】図７は、クライアント端末における電力節約を促進するためのホスト端末において動作可能な方法を示す流れ図である。
【図８】図８は、アクセスポイントがサービスするクライアント端末における電力節約を促進するためのプロキシとして働くように構成されたアクセスポイントの一例のブロック図である。
【図９】図９は、アクセスポイントがサービスするクライアント端末における電力節約を促進するためのアクセスポイントにおいて動作可能な方法を示す流れ図である。
【図１０】図１０は、プロキシホスト端末を使用することによって電力を節約するように構成されたクライアント端末の一例のブロック図である。
【図１１】図１１は、プロキシホスト端末を使用することによって電力を節約するためのクライアント端末において動作可能な方法を示す流れ図である。
【発明を実施するための形態】
【００２７】
以下の説明では、実施形態の十分な理解が得られるように具体的な詳細が与えられる。ただし、これらの実施形態は、これらの具体的な詳細なしに実施されることができることを、当業者なら理解されよう。たとえば、これらの実施形態を不必要な詳細において不明瞭にしないために、回路をブロック図で示すことがある。他の場合では、これらの実施形態を不明瞭にしないために、よく知られている回路、構造、および技法を詳細に図示することがある。
【００２８】
また、実施形態を、フローチャート、流れ図、構造図、またはブロック図として示されるプロセスとして説明することがあることに留意されたい。フローチャートは動作を逐次プロセスとして説明することがあるが、動作の多くは並行してまたは同時に実行されることができる。さらに、動作の順序は、並び替えられることができる。プロセスは、その動作が完了すると終了する。プロセスは、方法、関数、プロシージャ、サブルーチン、サブプログラムなどに対応することができる。プロセスが関数に対応する場合、その終了は呼出し側関数またはメイン関数への関数の復帰に対応する。
【００２９】
さらに、記憶媒体は、読取り専用メモリ（ＲＯＭ）、ランダムアクセスメモリ（ＲＡＭ）、磁気ディスク記憶媒体、光記憶媒体、フラッシュメモリデバイス、および／または情報を記憶するための他の機械可読媒体を含む、データを記憶するための１つまたは複数のデバイスを表すことができる。「機械可読媒体」という用語は、携帯または固定記憶デバイス、光記憶デバイス、ワイヤレスチャネル、ならびに（１つまたは複数の）命令および／またはデータを記憶、含有、または搬送することが可能な様々な他の媒体を含むが、これらに限定されない。
【００３０】
さらに、実施形態は、ハードウェア、ソフトウェア、ファームウェア、ミドルウェア、マイクロコード、またはそのいかなる組合せによっても実装されることができる。ソフトウェア、ファームウェア、ミドルウェア、またはマイクロコードで実装される場合、必要なタスクを実行するためのプログラムコードまたはコードセグメントは、記憶媒体あるいは（１つまたは複数の）他の記憶装置などの機械可読媒体に記憶されることができる。プロセッサは、必要なタスクを実行することができる。コードセグメントは、プロシージャ、関数、サブプログラム、プログラム、ルーチン、サブルーチン、モジュール、ソフトウェアパッケージ、クラス、または命令、データ構造、もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合されることができる。情報、引数、パラメータ、データなどは、メモリ共有、メッセージパッシング、トークンパッシング、ネットワーク送信などを含む任意の適切な手段を介してパス、転送、または送信されることができる。
【００３１】
本明細書に開示される例に関連して説明される様々な例示的な論理ブロック、モジュール、回路、エレメント、および／またはコンポーネントは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブルロジックコンポーネント、個別ゲートもしくはトランジスタロジック、個別ハードウェアコンポーネント、または本明細書で説明される機能を実行するように設計されたそれらの任意の組合せを用いて実施または実行されることができる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングコンポーネントの組合せ、たとえば、ＤＳＰとマイクロプロセッサの組合せ、複数のマイクロプロセッサ、ＤＳＰコアと連動する１つまたは複数のマイクロプロセッサ、あるいは任意の他のそのような構成として実装されることもできる。
【００３２】
本明細書に開示される例に関連して説明される方法またはアルゴリズムは、ハードウェア、プロセッサによって実行可能なソフトウェアモジュール、または両方の組合せで、処理ユニット、プログラム命令または他の指令の形で直接実施され、単一のデバイスに含められるかまたは複数のデバイスにわたって分散されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術分野で知られている任意の他の形態の記憶媒体中に常駐することができる。記憶媒体は、プロセッサがその記憶媒体から情報を読み取り、その記憶媒体に情報を書き込むことができるようにプロセッサに結合されることができる。代替として、記憶媒体はプロセッサに一体化されることができる。
【００３３】
以下の記述では、本発明の１つまたは複数の実施形態のいくつかの特徴について説明するためにいくつかの用語が使用される。たとえば、「アクセスポイント」という用語は、（ワイヤレス通信デバイスのために）通信またはデータネットワークへのワイヤレス接続を可能にするデバイスを指す。たとえば、「アクセスポイント」は、基地局、ＮｏｄｅＢデバイス、フェムトセル、ピコセルなどを含むことができる。「クライアント端末」という用語は、携帯電話、ページャ、ワイヤレスモデム、携帯情報端末、個人情報マネージャ（ＰＩＭ）、パームトップコンピュータ、ラップトップコンピュータ、および／または少なくとも部分的にワイヤレスもしくはセルラーネットワークを通して通信する他のモバイル通信／コンピューティングデバイスを指す。
【００３４】
１つの特徴は、クライアント端末がそのプライマリ通信インターフェースを閉じている間、プロキシホスト端末を使用してクライアント端末のページングメッセージをリッスンすることによって、クライアント端末における電力節約を促進するためのシステムおよび方法を提供する。クライアント端末は、ロングレンジにわたって信号を受信するためのロングレンジ通信インターフェース（たとえば、プライマリ高帯域幅インターフェース）と、ローレンジ（たとえば、数フィート、または１マイル未満）にわたって信号を受信するためのショートレンジ通信インターフェース（またはセカンダリもしくは低帯域幅インターフェース）と、を含むことができる。一例では、ロングレンジ通信インターフェースは任意のＣＤＭＡ対応デバイスとし、ショートレンジ通信インターフェースはＢｌｕｅｔｏｏｔｈ対応インターフェースとすることができる。ロングレンジ通信インターフェースとショートレンジ通信インターフェースとの相違の１つは、ショートレンジ通信インターフェースのほうがロングレンジ通信インターフェースよりも消費電力が少ないことである。したがって、ロングレンジ通信インターフェースは高電力通信インターフェースとも呼ばれ、ショートレンジ通信インターフェースは低電力通信インターフェースと呼ばれることがある。「高電力」および「低電力」という用語は相対語であり、電力消費の特定のレベルを暗示しないことは明らかである。すなわち、低電力通信インターフェースは単に高電力通信インターフェースよりも消費電力が少ない。
【００３５】
従来技術の手法では、クライアント端末は、その通信インターフェースに電力供給する内部電源（たとえば、バッテリ）によって電力供給される。アイドルモードでは、高電力通信インターフェースを周期的にオンとオフに循環させる。その結果、内部電源の耐用寿命が短くなる。
【００３６】
内部電源の耐用寿命を延ばすために、１つの特徴は、クライアント端末が、プロキシホスト端末を使用して１つまたは複数のアクセスポイントからのメッセージをクライアント端末のページングチャネル上でリッスンしている間、クライアント端末の高電力通信インターフェースを電源切断することを可能にする。ホスト端末をプロキシとして確立するために、クライアント端末は、その送信レンジ内で、ローカルで利用可能なホスト端末を求めてスキャンする。利用可能なホスト端末が検出されると、クライアント端末は、利用可能なホスト端末のうちのいずれかが、そのページングチャネルを監視するための高電力インターフェースと、クライアント端末と直接通信するための低電力インターフェースとを有するかどうかを判断する。
【００３７】
クライアント端末は、その送信レンジ内において利用可能なホスト端末が高電力インターフェースをもっていると判断すると、そのプロキシとして働くべき利用可能なホスト端末の１つまたは複数とネゴシエートする。たとえば、クライアント端末の低電力インターフェースにおいて測定または知覚された、どの利用可能なホスト端末が最良または最強のショートレンジリンクを有するかに基づいて、クライアント端末は、その「プロキシ」として働くべき１つのホスト端末を選択することができる。ホスト端末が１つまたは複数のページングチャネル上でリッスンし、またはそのページングチャネルを監視することができるように、クライアント端末は、選択されたホスト端末に、クライアント端末の１つまたは複数のページングチャネル、および／または関連パラメータを供給することができる。選択されたホスト端末とクライアント端末が両方とも同じアクセスポイントをリッスンする実装形態では、それらのクロックは、同じアクセスポイントをリッスンすることによってすでに同期されている。代替実装形態では、クライアント端末は、代わりにページングチャネルにクロック情報を与え、それによりホスト端末は、それ自体のクロックをそのクロック情報に同期させることができる。次いで、クライアント端末は、その高電力インターフェースの全部または一部を電源切断（またはオフに）することができ、そのページングチャネル上でページングメッセージが受信されたという通知をホスト端末から受信するために、その低電力インターフェースを活動化することができる。ページングメッセージは、制御またはデータメッセージを含み、通信の開始を指示するメッセージとすることができる。高電力インターフェースは低電力インターフェースよりも多くの電力を消費するので、高電力インターフェースを閉じ、プロキシホスト端末を介してページングメッセージの通知を受信するために低電力インターフェースを使用することにより、クライアント端末における電力節約を促進する。
【００３８】
次いで、ホスト端末は、１つまたは複数のアクセスポイントによって開始または送信されたクライアント端末のページングチャネル上でクライアント端末を対象とするページングメッセージをリッスンする。一例では、ホスト端末は、ページングメッセージをリッスンまたは受信するために、（クライアント端末によって閉じられた高電力インターフェースと同様の）その高電力インターフェースを使用することができる。ホスト端末は、そのためのプロキシとして働いているクライアント端末を対象とするページングメッセージを検出すると、その低電力インターフェースを介してページングメッセージをクライアント端末に転送する。転送されるページングメッセージは、限定はしないがトラフィックチャネルおよびセクタを含む、ページングメッセージに応答するのに十分な、元のページングコンテンツの少なくとも一部を含むことができる。ページングメッセージのコンテンツの一部または全部を受信すると、クライアント端末は、その高電力インターフェースをオンにすることができ、高電力インターフェースを介してページングメッセージを送信しているアクセスポイントに直接応答することができる。
【００３９】
別の特徴によれば、ホスト端末は、その高電力インターフェースを介して複数のクライアント端末のページングチャネルを監視することができる。ホスト端末は、そのためのプロキシとして働いている複数のクライアント端末を対象とするページングメッセージをページングチャネル上でリッスンすることができる。監視されているページングチャネルのうちの１つでページングメッセージが検出された場合、ホスト端末は、ページングメッセージが、監視されている複数のクライアント端末のうちのどのクライアント端末を対象としているのかを判断することができる。ホスト端末によって監視されているクライアント端末の識別情報またはアドレスは、ホスト端末によって維持されているプロキシリスト上で識別されることができる。ページングメッセージが検出されると、ホスト端末は、プロキシリスト上で対応するクライアント端末の識別情報を調べ、メッセージをその低電力インターフェースを介してその対象の受信者に転送する。
【００４０】
クライアント端末は、応答するとき、その高電力インターフェースをオンにし、ページングメッセージを送信したアクセスポイントと直接通信するためにその高電力インターフェースを使用する。
【００４１】
さらに別の特徴では、プロキシホスト端末は、バッテリ式であるが、バッテリ寿命がより長いか、または外部電源を有する端末とすることができる。たとえば、第１のクライアント端末がバッテリ式であるが、その内部電源が所望のしきい値を下回る場合、第１のクライアント端末は、第１のクライアント端末のプロキシとして働くべき（第１のクライアント端末よりもバッテリ寿命が長い）第２のローカル端末をワイヤレス送信レンジ内で探すことができる。第２の端末が第１のクライアント端末のプロキシとして働いている場合、第１のクライアント端末は、その高電力インターフェースを電源切断し、第２のクライアント端末の低電力インターフェースを介してページングメッセージを受信するために、その低電力インターフェースを電源投入する。
【００４２】
さらに別の特徴によれば、クライアント端末は、ホスト端末がレンジ内で依然としてプロキシとして働くべきかどうかを判断するために、その低電力インターフェースを介してホスト端末にピングを周期的に送信することができる。ホスト端末からのピングに対する応答なしに指定の時間量が経過した場合、ホスト端末はもはやそのプロキシとして働いていないので、クライアント端末は、アクセスポイントからページングメッセージを直接受信するために、その高電力インターフェースを電源投入することができる。別のホスト端末が送信レンジ内で検出された場合、クライアント端末は、その新しいホスト端末と連結し、その高電力インターフェースを電源切断し、新しいホスト端末からページングメッセージの通知を受信するために、その低電力インターフェースを活動化することができる。
【００４３】
別の特徴では、ホスト端末が、その高電力インターフェースを介してクライアント端末を対象とするページングメッセージを受信するとき、ページングメッセージは、その高電力インターフェースに関連する第１の通信プロトコルで受信されることができる。ただし、ページングメッセージをクライアント端末にその低電力インターフェースを介して転送するために、ページングメッセージは、第１の通信プロトコルから、その低電力インターフェースに関連する第２の通信プロトコルに変換されることができる。
【００４４】
様々な実装形態によれば、ホスト端末は、携帯電話、セルラー電話、ラップトップコンピュータ、携帯情報端末デバイス、および／または通信機能をもつ任意の他のデバイスとすることができる。適用例によっては、ホスト端末の機能および／または動作は、本明細書に記載の通り動作するように構成されたロングレンジインターフェース（たとえば、高電力トランシーバ）とショートレンジインターフェース（たとえば、低電力トランシーバ）の両方を含むアクセスポイント（たとえば、基地局、ＮｏｄｅＢ、フェムトセル、ピコセルなど）に一体化されることができる。
【００４５】
図１は、１つまたは複数のホスト端末が、クライアント端末における電力節約を促進するためのプロキシとして働くことができるワイヤレス通信システムを示すブロック図である。クライアント端末１１４およびホスト端末１１０は、ワイヤレス通信ネットワーク１０６を介して通信することができる。ホスト端末１１０およびクライアント端末１１４は、通信ネットワーク１０６の一部である１つまたは複数のアクセスポイント１０４および１０８（たとえば、基地局またはＮｏｄｅＢ、フェムトセル、ピコセルなど）を介して通信ネットワーク１０６にアクセスすることができる。
【００４６】
ホスト端末１１０およびクライアント端末１１４は、ワイヤレスリンクを通してアクセスポイント１０４および／または１０８と直接通信するための高電力インターフェース１０９および１１３（またはトランシーバ）を含むことができる。さらに、ホスト端末１１０およびクライアント端末１１４はまた、互いに直接通信するための低電力インターフェース１１５および１１９（またはトランシーバ）を含むことができる。一実装形態では、低電力インターフェース（たとえば、セカンダリ通信インターフェース、低帯域幅通信インターフェース、またはショートレンジ通信インターフェース）は、高電力インターフェース（たとえば、プライマリ通信インターフェース、高帯域幅通信インターフェース、またはロングレンジ通信インターフェース）よりも少ない電力を消費する。「高電力」および「低電力」という用語は相対語であり、電力消費の特定のレベルを暗示しないことは明らかである。低電力インターフェース１１５および１１９は、所与の動作時間の間、単に高電力インターフェース１０９および１１３よりも少ない電力を消費する。一般に、より低い帯域幅および／またはより短いレンジのインターフェースは、より高い帯域幅および／またはより長いレンジのインターフェースよりも少ない電力を消費するだろう。クライアント端末１１４は、（制限された）内部電源（たとえば、バッテリ）によって電力供給されることができる。
【００４７】
クライアント端末１１４は、第１の（またはアクティブ）モード、および第２の（またはアイドル）モードを含む様々なモードで動作することができる。アクティブモードにある間、クライアント端末１１４は、アクセスポイント１０４および１０８のうちの１つまたは複数と通信して、呼／セッションを確立するかまたはページングメッセージに応答するために、その高電力インターフェースを使用することができる。アイドルモードでは、クライアント端末１１４は、アクセスポイント１０４および／または１０８によって送信されるページングメッセージについて監視するために、その高電力インターフェースを周期的にオンにすることができる。また様々な実装形態では、その電力制限に応じて、ホスト端末は、そのようなアクティブ動作モードおよびアイドル動作モードに従って動作するか、またはアクティブモードだけで動作することができる。たとえば、クライアント端末とホスト端末の両方が携帯電話である場合、各々は電力を節約するためにアクティブモードおよびアイドルモードを使用して動作することができる。一方、ホスト端末がコンピュータであるかまたはアクセスポイントの一部である場合、ホスト端末は、著しい電力制限を有せず、たいていアクティブモードで動作することができる。
【００４８】
従来技術のクライアント端末は、アイドルモードで動作する場合、ページングメッセージまたは構成の変更について確認するために高電力インターフェースがオンとオフに循環されるにつれて、その内部電源からの電力を消費し続けることができる。その結果、利用可能な電力が減少し続け、バッテリ再充電間の待機時間と、呼が発されるかまたは受信される利用可能な通話時間とが短縮される。
【００４９】
対照的に、クライアント端末１１４は、電力節約を改善するように構成できる。電力節約動作モードでは、クライアント端末１１４は、ホスト端末１１０が、クライアント端末１１４のためにページングチャネルを監視するためのプロキシとして働くように要求することができる。クライアント端末１１４は、その高電力インターフェース１１３および／または低電力インターフェース１１９上でスキャンすることによってローカルホスト端末を発見することができる。いくつかの実装形態では、低電力インターフェース１１９は、クライアント端末の高電力インターフェース１１３がオフにされているときにページングメッセージを受信するために使用されるインターフェースであるので、ホスト端末についてスキャンするのに使用される。そのようなスキャンを実行する際、クライアント端末１１４は、高電力インターフェースと低電力インターフェースの両方を有する潜在的なホスト端末を識別しようと試みることができる。このため、ホスト端末は、（たとえば、ロングレンジ通信用に意図された）高電力インターフェースを介してページングメッセージを受信し、それらのページングメッセージを低電力インターフェースを介して対象のクライアント端末に転送することが可能である。
【００５０】
１つまたは複数のホスト端末がクライアント端末１１４によって識別されると、クライアント端末の低電力インターフェース１１９において測定または知覚された、どの利用可能なホスト端末が最良または最強のショートレンジリンクを有するかに基づいて、クライアント端末１１４は、その「プロキシ」として働くべき１つのホスト端末１１０を選択することができる。クライアント端末は、選択されたホスト端末１１０に、ページングチャネルパラメータとともにプロキシ要求を送信することができる。いくつかの実装形態では、クライアント端末１１４は、１つまたは複数のホスト端末とのセキュアな関係をあらかじめ決めることができる。セキュアな関係をあらかじめ決めることによって、クライアント端末１１４は、選択されたホスト端末１１０が、クライアント端末について検出された着信ページングメッセージを転送するためのプロキシとして働くと信じることができる。
【００５１】
プロキシホスト端末が識別され、選択されると、クライアント端末１１４とホスト端末１１０の両方の低電力インターフェースを介した通信リンクを確立またはセットアップすることができる。たとえば、低電力インターフェース１１９がＢｌｕｅｔｏｏｔｈ対応インターフェースである場合、ホスト端末１１０およびクライアント端末１１４がそれぞれの低電力インターフェースを介して互いに通信することができるように、ホスト端末１１０は、ホップシーケンスまたは周波数ホップシーケンスと呼ばれる擬似乱数列に従って動作するように構成されることができる。選択されたホスト端末１１０がクライアント端末１１４用のプロキシとして確立されると、クライアント端末１１４の高電力インターフェース１１３は、電力節約を促進するために電源切断される（たとえば、オフにされる）ことができる。低電力インターフェース１１９は、高電力インターフェース１１３よりも少ない電力を消費するので、クライアント端末１１４は、電力を節約し、クライアント端末１１４の内部電源の寿命を延長することができる。
【００５２】
選択された「プロキシ」ホスト端末１１０は、その高電力インターフェース１０９を介してクライアント端末１１４のページングチャネルを監視し、検出されたページングメッセージ（またはその一部分）をその低電力インターフェース１１５を介してクライアント端末１１４に転送することができる。ページングメッセージは、そのようなメッセージに応答する（たとえば、呼を容認する）ための対象とされた受信者への十分な情報、たとえば、ブロードキャスト制御チャネル番号（ＢＣＣＨ）、ＢＣＣＨ時間オフセット、セクタ番号、を含むことができる。たとえば、ＣＤＭＡ２０００対応ネットワークのページングメッセージは、以下のフィールドも含むことができる。
【表１】
0005677860.tif 000002
【００５３】
ホスト端末１１０は、複数の他のクライアント端末のそれぞれのページングチャネルを監視し、受信されたページングメッセージを転送することによって同様に複数の他のクライアント端末のための「プロキシ」として働くことができる。
【００５４】
１つの特徴によれば、クライアント端末１１４とプロキシホスト端末１１０との間のプロキシ方式は、アクセスポイント１０４および１０８がそれらの動作を変更する必要がないように、通信システム（ネットワーク）１００の残りに対して透過的とすることができる。たとえば、ホスト端末１１０は、その高電力インターフェースを介してクライアント端末１１４の通常の既存のページングチャネルを監視することができ、したがって、（アクセスポイントＡ１０４を含む）通信システム１００の残りに対してシームレスである。
【００５５】
本明細書で使用されるアクセスポイントは、端末と通信することができるデバイスであることができ、基地局、ＮｏｄｅＢ、またはいくつかの他の同様のデバイスと呼ばれることもあり、それらの一部または全部の機能を含むことができる。端末（たとえば、クライアント端末および／またはホスト端末）はまた、ユーザ機器（ＵＥ）、ワイヤレス通信デバイス、移動局、コンピュータ、ラップトップ、携帯電話、セルラー電話、または何らかの他の用語で呼ばれることもあり、それらの一部または全部の機能を含むことができる。いくつかの実装形態では、「プロキシ」ホスト端末の動作および／または機能は、アクセスポイントに一体化されることができる。
【００５６】
ロングレンジ／高電力通信インターフェースの例
ロングレンジ、高電力、および／または高帯域幅通信インターフェースの一例は、Ｗ−ＣＤＭＡ対応トランシーバである。しかしながら、他の例では、そのような高電力インターフェースは、Ｗ−ＣＤＭＡ、ｃｄｍａ２０００、ＧＳＭ、ＷｉＭａｘ、およびＷＬＡＮを含むがこれらに限定されない現代の通信規格に従って動作することができる。
【００５７】
ＷＣＤＭＡでは、クライアント端末は、電力消費を低減するために、その高電力インターフェースのアイドルモードにおいてＤＲＸ（不連続受信（Discontinuous Reception））を使用することができる。ＤＲＸを使用するとき、クライアント端末は、ＤＲＸサイクル当たり１つのページングオケーション（Paging Occasion）中に１つのＰＩ（ページインジケータ（Page Indicator））を監視する。ＰＩＣＨ（ページングインジケータチャネル（Paging Indicator Channel））は、ページングインジケータを搬送するのに使用される固定レート（ＳＦ＝２５６）物理チャネルとするができる。ＰＩＣＨは、ＰＣＨトランスポートチャネルがマッピングされるＳ−ＣＣＰＣＨ（セカンダリ共通制御物理チャネル（Secondary Common Control Physical Channel））に関連する。
【００５８】
ショートレンジ／低電力通信インターフェースの例
ショートレンジ、低電力、および／または低帯域幅通信インターフェースの一例は、ＴＤＤ（時分割複信）方式を使用するＢｌｕｅｔｏｏｔｈ対応トランシーバである。そのようなＢｌｕｅｔｏｏｔｈインターフェースは、同期的に交互に送信および受信することができる。これは、Ｂｌｕｅｔｏｏｔｈ技術によって接続された複数の端末に、ピコネットとしばしば呼ばれるアドホックで通信することを許す。ピコネットは、マスタ端末、すなわちスレーブ端末との通信を開始する端末のシステムクロックによって同期されることができる。マスタ端末のＢＤ＿ＡＤＤＲ（Ｂｌｕｅｔｏｏｔｈデバイスアドレス（Bluetooth Device Address））は、周波数ホッピングシーケンスおよびチャネルアクセスコードを決定し、マスタ端末のシステムクロックは、ホッピングシーケンスにおける位相を決定する。マスタ端末はまた、ポーリング方式によってチャネル上のトラフィックを制御する。マスタ端末は、ピコネットが存在する間、そのシステムクロックを決して調整しない。スレーブ端末は、マスタクロックと一致するためにそれらのネイティブクロックをタイミングオフセットで適合させることができる。Ｂｌｕｅｔｏｏｔｈクロックは、たとえば３１２．５マイクロ秒の分解能を有することができる。
【００５９】
Ｂｌｕｅｔｏｏｔｈベースバンドプロトコルは、回線交換とパケット交換の組合せである。スロットは、同期パケットのために予約されることができる。各パケットは、異なるホップ周波数で送信される。パケットは、公称上は単一スロットをカバーするが、たとえば、最高５つのスロットをカバーするように拡張されることができる。Ｂｌｕｅｔｏｏｔｈ送信チャネルは、６２５μ秒スロットに分割されることができる。送信は、奇数のスロット（１、３、または５）を占有するパケット中で行われる。一例では、各パケットは、パケットが単一スロットを占有する場合、１６００ホップ／秒の最大周波数ホッピングレートで異なるホップ周波数上で送信され、パケットが５つのスロットを占有する場合、３２０ホップ／秒の最小ホッピングレートで送信される。あらゆるスロットは、それに関連する周波数を有するが、複数のスロットを占有しているパケットの送信は、第１のスロットに関連する周波数を使用することができることに留意されたい。（スレーブ端末からの）スレーブパケット送信は、（マスタ端末からの）マスタパケット送信に後続することができる。スレーブ端末は、スレーブ端末に明確に宛てられたマスタ端末のパケットに応答することができる。送信すべきデータを有しない場合、スレーブ端末は、ＮＵＬＬパケットを送信することができる。さらに、各パケットは、以前に受信されたパケットについての肯定応答ＡＣＫ情報を含むことができる。
【００６０】
通常、２つの端末間の接続は、以下のように行われる。マスタ端末は、該当レンジ中のＢｌｕｅｔｏｏｔｈデバイスについて問い合わせるためにＧＩＡＣ（一般問合せアクセスコード（General Inquiry Access Code））およびＤＩＡＣ（専用問合せアクセスコード（Dedicated Inquiry Access Code））を使用する（問合せサブ状態（Inquire substate））。近くのＢｌｕｅｔｏｏｔｈデバイス（端末）は、これらの問合せをリッスンしている場合（問合せスキャンサブ状態（Inquiry scan sub-state））、そのアドレスおよびＦＨＳ（周波数ホップ同期（frequency Hop Synchronization））パケットをマスタに送信するために、マスタ端末に応答する（問合せ応答サブ状態（Inquiry response sub-state））。その情報を送信した後、スレーブは、マスタ端末からのページメッセージのリッスンを開始する（ページスキャン（Page scan））。マスタ端末は、レンジ中のＢｌｕｅｔｏｏｔｈデバイス（端末）を発見した後、接続セットアップのためにこれらのスレーブ端末をページングすることができる（ページサブ状態（Page sub-state））。スレーブ端末は、このマスタ端末によってページングされた場合のページスキャンモードにおいて、そのＤＡＣ（デバイスアクセスコード（Device Access Code））で応答する（スレーブ応答サブ状態（Slave response sub-state））。マスタ端末は、スレーブ端末から応答を受信した後、マスタ端末の実時間クロック、マスタ端末のＢＤ＿ＡＤＤＲ、ＢＣＨパリティビット、およびマスタ端末のクラスを送信するために、応答することができる（ＦＨＳパケット（FHS packet））。スレーブ端末がこのＦＨＳパケットを受信した後、両者は接続状態（Connection state）に入り、通信を開始することができる。
【００６１】
ページスキャン状態の間、Ｂｌｕｅｔｏｏｔｈ対応端末は、他のＢｌｕｅｔｏｏｔｈ対応端末からのページ要求を待つことができる。このページスキャン状態は、スキャン位相とスリープ位相を交互に含むことができる。以下の２つのパラメータがページスキャン状態を定義する。すなわち、ページスキャン間隔Ｔｐａｇｅ＿ｓｃａｎは、２つの連続するスキャン位相間の時間を指定し、ページスキャンウィンドウＴｐａｇｅ＿ｓｃａｎ＿ｗｉｎｄｏｗは、スキャン位相の継続時間を決定する。Ｂｌｕｅｔｏｏｔｈ対応端末のいくつかの実装形態では、ページスキャン間隔は１１．２５ミリ秒から２．５６秒まで変化することができる。
【００６２】
本明細書で説明されるシグナリング検出技法は、ＣＤＭＡ（符号分割多元接続（Code Division Multiple Access））システム、ＴＤＭＡ（時分割多元接続（Time Division Multiple Access））システム、ＦＤＭＡ（周波数分割多元接続（Frequency Division Multiple Access））システム、ＯＦＤＭＡ（直交周波数分割多元接続（Orthogonal Frequency Division Multiple Access））システム、ＷｉＭａｘ（Worldwide Interoperability for Microwave Access）など、様々なワイヤレス通信システムのために使用されることができる。ＣＤＭＡシステムは、Ｗ−ＣＤＭＡ（Wideband CDMA）、ｃｄｍａ２０００などのＲＡＴ（無線アクセス技術）を実装することができる。ＲＡＴは、無線通信のために使用される技術を指す。ＴＤＭＡシステムは、ＧＳＭ（Global System for Mobile Communications）などのＲＡＴを実装することができる。ＵＭＴＡ（Universal Mobile Telecommunication System）は、ＲＡＴとしてＷ−ＣＤＭＡおよびＧＳＭを使用するシステムであり、３ＧＰＰ（「3rd Generation Partnership Project」）という名称のコンソーシアムからの文書に記載されている。ｃｄｍａ２０００は、３ＧＰＰ２（「3rd Generation Partnership Project 2」）という名称のコンソーシアムからの文書に記載されている。３ＧＰＰおよび３ＧＰＰ２の文書は公に入手可能である。
【００６３】
図２は、ホスト端末がクライアント端末における電力節約を促進するためのプロキシとして働くワイヤレス通信システムの動作を示す流れ図である。この例では、説明のために図１のアクセスポイント１０４、ホスト端末１１０、およびクライアント端末１１４が使用される。クライアント端末１１４は、ＩＤ（クライアント識別子（Client Identifier））、（たとえば、その低電力インターフェース用の）ホップシーケンス（Hop Sequence）、および／またはクライアント端末１１４に関連する１つまたは複数のページングチャネルを記憶することができる。ホスト端末１１０は、そのプロキシとしてホスト端末１１０が働いているクライアント端末のクライアント識別子とページングチャネルとのクライアントプロキシリストを維持することができる。
【００６４】
２０２において、クライアント端末１１４は、電力を節約することを望むとき、そのページングチャネルおよびクライアントＩＤを送信することによってプロキシとして動作するようにホスト端末１１０に指示することができる。次いで、２０４において、クライアント端末ＩＤを使用して、ホスト端末１１０は、クライアント端末のアドレスをそのプロキシリストに追加し、情報の受信を肯定応答するための肯定応答２０６をクライアント端末１１４に送信する。肯定応答２０６を受信した後、クライアント端末１１４は、２０８においてその高電力インターフェースを停止（または電源切断）し、２１０においてその低電力インターフェースを活動化する。
【００６５】
２１２において、アクセスポイント１０４は、クライアント端末を対象とするページングメッセージ（またはその一部分）をブロードキャスト／送信することができる。２１４において、ホスト端末１１０は、その高電力インターフェースを介してブロードキャストを受信することができる。ページングメッセージに加えて、ホスト端末１１０はまた、トラフィックチャネルの詳細、セクタ、またはページングメッセージに応答するために十分な他の情報、などの追加の情報（またはページングメッセージのコンテンツ）をアクセスポイント１０４から受信することができる。ホスト端末１１０は、クライアント端末１１４にページングメッセージに直接応答することを許すために、この追加の情報を使用することができる。
【００６６】
１つの特徴では、ブロードキャストが受信されると、２１６において、ホスト端末１１０は、ページングメッセージがプロキシリスト中のクライアント端末１１４を対象としているかどうかを確認する。ページングメッセージが、そのページングチャネルがホスト端末１１０によって監視されているクライアント端末１１４を対象としている場合、２１８において、ホスト端末１１０は、その低電力インターフェースを介してページングメッセージを指定のクライアント端末１１４に転送することができる。２２０において、クライアント端末１１４は、メッセージがページングメッセージであるかどうかを判定するために、その低電力インターフェースを介してメッセージの詳細とともにメッセージを受信することができる。クライアント端末１１４がページングメッセージに直接応答できるようにするのに十分なページングコンテンツの一部分が、クライアント端末１１４によって受信されることができる。従来技術の手法とは異なり、クライアント端末１１４は、ページングメッセージを発信したアクセスポイントとの通信を開始するためにページングメッセージを再び要求または再リッスンする必要がない。
【００６７】
ページングメッセージが低電力インターフェース上で転送されたとクライアント端末１１４が判断した場合、２２２において、クライアント端末１１４は、その高電力インターフェースをオンにし、ページングメッセージを送信しているアクセスポイント１０４に直接応答することができる。２２４において、直接通信を確立するために、ページングメッセージの肯定応答が、クライアント端末１１４から高電力インターフェースを介してアクセスポイント１０４に送信されることができる。
【００６８】
ＷＣＤＭＡシステムの一例では、アクセスポイント１０４によって肯定応答２２４が受信されると、２２６において無線リソース接続（ＲＲＣ）接続がセットアップされることができる。２２８において、随意に、クライアント端末１１４がセキュアな接続を介してアクセスポイント１０４と通信できるようなセキュアな通信がセットアップされることができる。最後に、２３０において、クライアント端末１１４の高電力インターフェースとアクセスポイント１０４との間の通信が確立されることができる。１つまたは複数のクライアント端末１１４のためのプロキシとして働くようにホスト端末１１０に命令するプロセスは、複数回繰り返されることができる。
【００６９】
図３は、１つまたは複数のホスト端末がクライアント端末における電力節約を促進するためのプロキシとして働くことができるワイヤレス通信システムの別の例を示すブロック図である。この例は、ホスト端末３０２がどのようにして複数のクライアント端末３１０のためにプロキシの働きをすることができるかを示す。すなわち、複数のクライアント端末３１０は、それらの高電力インターフェースを電源切断する（たとえば、オフにする）とき、それらのプロキシとしてホスト端末３０２を選択することができる。プロキシとして動作するとき、ホスト端末３０２は、クライアント端末３１０についてページングチャネルを監視し、（受信された場合）ページングメッセージを対応するクライアント端末に転送する。すなわち、ホスト端末３０２は、ページングメッセージについて監視するためにその高電力インターフェース３１２（たとえば、ロングレンジおよび／または高帯域幅トランシーバ）を使用し、そのようなページングメッセージが受信された場合、それらのページングメッセージを転送するために、その低電力インターフェース３１６（たとえば、ショートレンジおよび／または低帯域幅トランシーバ）を使用する。
【００７０】
いくつかの実装形態では、ホスト端末の機能は、アクセスポイント３０８に一体化されることができる。アクセスポイント３０８（たとえば、基地局、ＮｏｄｅＢ、フェムトセル、ピコセルなど）は、高電力インターフェース３１８（たとえば、ロングレンジおよび／または高帯域幅トランシーバ）と、低電力インターフェース３２０（たとえば、ショートレンジおよび／または低帯域幅トランシーバ）と、を含むことができる。クライアント端末Ａ３１４は、そのプロキシとしてアクセスポイント３０８を識別し、指定することができる。クライアント端末Ａ３１４のためのプロキシとして働くとき、アクセスポイント３０８は、その低電力インターフェース３２０を介してページングメッセージをクライアント端末Ａ３１４に転送する。低電力インターフェース３２２を介してページングメッセージを受信すると、クライアント端末Ａ３１４は、その高電力インターフェース３２４をオンにし、高電力インターフェース３２４を介してページングメッセージに応答することができる。
【００７１】
図４は、１つまたは複数のプロキシがクライアント端末における電力節約を促進することができるワイヤレス通信システムのさらに他の例を示すブロック図である。この例は、異なるネットワーク４０２、４０４、および４０６が、どのようにそれらの間で通信が実行できるように高帯域幅リンク（たとえば、ブロードバンド、Ｅ１／Ｔ１、など）によって相互接続できるかを示す。各ネットワーク内では、本明細書で説明されるプロキシ方式の使用によって、クライアントデバイスの電力節約が実施されることができる。たとえば、携帯電話ネットワークのワイヤレスセルカバレージ領域４０４では、複数の携帯電話（または他の通信デバイス）がサービスされることができる。この例では、第１の携帯電話４０８および第２の携帯電話４１０は、高電力インターフェース（たとえば、ロングレンジ、高帯域幅）と、低電力インターフェース（たとえば、ショートレンジ、低帯域幅）とを搭載することができる。第１の携帯電話４０８は、第２の携帯電話４１０がページングメッセージのためのプロキシとして働くように要求することができ、それによって、第１の携帯電話は、その高電力インターフェースを閉じる（または「アウェイク」時間を制限する）ことによって電力を節約することが可能になる。
【００７２】
代替実装形態では、ワイヤレスセルカバレージ領域４０４をサービスしている基地局４１０は、サービスされている携帯電話４０８および４１０との通信用に通常使用される高電力インターフェースと、携帯電話４０８および４１０の低電力インターフェースに適合するセカンダリインターフェースと、の両方を有することができる。この特定の構成では、セカンダリインターフェースは（一般に電力供給が豊富である）基地局４１０に配置されるので、そのセカンダリインターフェースの動作送信レンジを、低電力インターフェースの典型的な送信レンジを超えて増大させることが可能である。このようにして、基地局４１０は、そのセカンダリインターフェースを介して、高電力インターフェースを閉じている携帯電話の低電力インターフェースにページングメッセージを転送することができることがある。
【００７３】
別の例では、ホーム、オフィス、またはビルワイヤレスネットワークは、フェムトセル４１２またはピコセルによってサービスされる。フェムトセル４１２は、局所化され限定されたエリア内の（たとえば、ホーム、オフィス、またはビル内の）複数の携帯電話４１４および４１６（または他の通信デバイス）にワイヤレスサービスを提供することができる。この例では、フェムトセル４１２は、サービスされている携帯電話４１４および４１６の高電力インターフェースと通信するのに通常使用される高電力インターフェースと、それを介することで携帯電話４１４および４１６の対応する低電力インターフェースと通信することができる低電力インターフェース（たとえば、ショートレンジ、低帯域幅、またはセカンダリインターフェース）と、の両方を有することができる。したがって、携帯電話がそのプロキシとしてフェムトセル４１２を指定する（および、携帯電話の高電力インターフェースを閉じる）とき、フェムトセル４１２は、それらの低電力インターフェースを介してページングメッセージを転送することができる。
【００７４】
図５は、プロキシデバイスがクライアント端末における電力節約を促進するように働くワイヤレス通信システムの動作を示す流れ図である。この例では、プロキシネットワークデバイス５０２は、高電力インターフェースと低電力インターフェースとを有するアクセスポイント、フェムトセル、または他のネットワークデバイスとすることができる。同様に、クライアント端末５０４は、対応する高電力インターフェースと低電力インターフェースとを有する。クライアント端末５０４は、ＩＤ（クライアント識別子（Client Identifier））、（たとえば、その低電力インターフェース用の）ホップシーケンス（Hop Sequence）、および／またはクライアント端末５０４に関連する１つまたは複数のページングチャネル、を記憶することができる。プロキシネットワークデバイス５０２は、プロキシとして働くように要求されているクライアント端末のクライアント識別子とページングチャネルとのクライアントプロキシリストを維持することができる。
【００７５】
クライアント端末５０４は、電力を節約することを望むとき、そのプロキシ５０６として動作するようにプロキシネットワークデバイス５０２に指示することができる。プロキシネットワークデバイス５０２は、クライアントデバイス５０４に対してすでにネットワークアクセスを与えている（たとえば、通信ネットワークに対するクライアントデバイスのためのアクセスポイントである）ので、そのページングチャネル情報をすでに有していることがあることに留意されたい。５０８において、プロキシネットワークデバイス５０２は、そのプロキシリストにクライアント端末５０４を追加し、情報の受信を肯定応答するための肯定応答５１０をクライアント端末５０４に送信する。肯定応答を受信した後、クライアント端末５０４は、５１２においてその高電力インターフェースを停止（または電源切断）し、５１４においてその低電力インターフェースを活動化する。
【００７６】
５１６において、プロキシネットワークデバイス５０２は、新しいページングメッセージがそのプロキシリスト中のクライアント端末５０４を対象としているかどうかを確認することができる。ページングメッセージがクライアント端末５０４を対象としている場合、５１８において、プロキシネットワークデバイス５０２は、その低電力インターフェースを介してページングメッセージを指定のクライアント端末５０４に転送することができる。５２０において、クライアント端末５０４は、その低電力インターフェースを介してページングメッセージを受信することができる。クライアント端末５０４がページングメッセージに直接応答できるようにするのに十分なページングコンテンツの一部分が、クライアント端末５０４によって受信されることができる。従来技術の手法とは異なり、クライアント端末５０４は、ページングメッセージを発信したネットワークデバイスとの通信を開始するためにページングメッセージを再び要求または再リッスンする必要がない。
【００７７】
低電力インターフェースを介してページングメッセージを受信すると、５２２において、クライアント端末５０４は、プロキシネットワークデバイス５０２に直接応答するために、その高電力インターフェースをオンにすることができる。５２４において、ページングメッセージの肯定応答が、５２６において直接通信を確立するためにクライアント端末５０４から高電力インターフェースを介してプロキシネットワークデバイス５０２に送信されることができる。
【００７８】
図６は、クライアント端末における電力節約を促進するためのプロキシとして働くように構成されたホスト端末の一例のブロック図である。ホスト端末６０２は、処理回路６０４と、ホスト端末６０２をアクセスポイント６１２に結合するために使用される高電力通信インターフェース６０６と、を含むことができる。たとえば、高電力通信インターフェース６０６は、ＣＤＭＡ対応ネットワークなどを介してロングレンジ通信用に使用されることができる。低電力通信インターフェース６０８は、ホスト端末６０２をクライアント端末６１４に結合するために使用されることができる。たとえば、低電力通信インターフェース６０８は、Ｂｌｕｅｔｏｏｔｈ対応ネットワークなどを介してショートレンジ通信用に使用されることができる。
【００７９】
１つの動作モードでは、ホスト端末６０２は、その高電力インターフェースを介してクライアントプロキシリスト６１０上で識別されたクライアント端末のページングチャネルを監視するように構成されることができる。すなわち、ホスト端末６０２は、１つまたは複数のクライアント端末のプロキシとして働くことに同意していることができる。そのようなプロキシモードでは、ホスト端末６０２は、そのプロキシとしてホスト端末６０２が働くことに同意したクライアント端末に関連する（１つまたは複数の）ページングチャネルを監視するために、その高電力インターフェースを使用することができる。メッセージがページングチャネル中で受信されると、ホスト端末６０２は、その低電力通信インターフェース６０８を通してそのメッセージの全部または一部を対応するクライアント端末６１４へのリンクを介して転送することができる。メッセージを転送する際、ホスト端末６０２は、メッセージの全部または一部を（高電力通信インターフェース６０６に関連する）第１のプロトコルから（低電力通信インターフェース６０８に関連する）第２のプロトコルに変換することができる。
【００８０】
図７は、クライアント端末における電力節約を促進するためのプロキシホスト端末において動作可能な方法を示す流れ図である。７０２において、ホスト端末がクライアント端末のプロキシとして動作することを指示する、クライアント端末識別子とクライアント端末に関連するページングチャネルとを含む通知が、クライアント端末から受信されることができる。そのような通知は、ホスト端末の高電力通信インターフェースまたは低電力通信インターフェースのいずれでも受信されることができる。次いで、７０４において、クライアント識別子とクライアント端末に関連するページングチャネルとが、ホスト端末上のクライアントプロキシリストに追加されることができる。
【００８１】
次いで、７０６において、ホスト端末は、高電力通信インターフェースを通してクライアント端末のページングチャネル上でページングメッセージをリッスンすることができる。たとえば、Ｂｌｕｅｔｏｏｔｈ対応通信インターフェースは、低電力通信インターフェースとして使用される場合、ページスキャン（Page Scan）モード（すなわち、ホスト端末がページメッセージのリッスンを開始することができる）、またはスニッフ（Sniff）モード（すなわち、ホスト端末が低減されたレートまたはより低いデューティサイクルでページメッセージのリッスンを開始することができる）では、アクティブなままであることができる。７０８において、ホスト端末は、受信したページングメッセージがプロキシリスト上のクライアント端末を対象としているかどうかを判断することができる。プロキシリスト中のクライアント端末のページングメッセージが受信されない場合、７０６において、ホスト端末は、その高電力通信インターフェースを介してクライアント端末のページングチャネル上でページングメッセージをリッスンし続けることができる。ホスト端末が、プロキシリスト上のクライアント端末を対象とするページングメッセージを受信した場合、７１０において、ホスト端末は、その低電力通信インターフェースを介してページングメッセージコンテンツの少なくとも一部分をクライアント端末へ転送する。ページングメッセージのこの一部分は、受信クライアント端末が送信アクセスポイントに対してページングメッセージに直接応答できるようにするために十分である。ページングコンテンツは、限定はしないが、セクタ、トラフィック、または周波数チャネル、ならびにクライアント端末がホスト端末との通信を確立するために使用される任意の他の情報を含むことができる。ページングメッセージが対応するクライアント端末に転送されると、７１２において、クライアント端末は、ホスト端末のクライアントプロキシリストから削除されることができる。
【００８２】
図８は、アクセスポイントがサービスするクライアント端末における電力節約を促進するためのプロキシとして働くように構成されたアクセスポイントの一例のブロック図である。アクセスポイント８０２は、たとえば、アクセスポイントがサービスするクライアント端末へのおよび／またはからの通信を可能にするためにネットワーク通信インターフェース８１６を介して通信ネットワーク８１８にリンクするフェムトセル、ピコセル、基地局、または他のネットワークデバイスとすることができる。アクセスポイント８０２はまた、処理回路８０４と、アクセスポイント８０２によってサービスされているクライアント端末（たとえば、携帯電話など）と通信するための高電力通信インターフェース８０６（たとえば、ＣＤＭＡ対応トランシーバなどによる、ロングレンジトランシーバ）と、を含むことができる。低電力通信インターフェース８０８は、アクセスポイント８０２が、そのプロキシとしてアクセスポイント８０２が動作するクライアント端末８１４とリンクできるようにするために使用されることができる。たとえば、アクセスポイント８０２は、それらのプロキシとして動作すべきクライアント端末のうちの１つまたは複数によって通知されていることがある。そのような１つまたは複数のクライアント端末は、クライアントプロキシリスト８１０に追加される。これは、クライアント端末に高電力インターフェースを閉じることを許し、それにより電力が節約される。
【００８３】
アクセスポイント８０２は、ネットワーク通信インターフェース８１６を介してページングメッセージを受信すると、そのページングメッセージが、そのクライアントプロキシリスト８１０中のクライアント端末を対象としているかどうかを確認する。そうであれば、アクセスポイント８０２は、ページングメッセージ（またはその一部分）をその低電力通信インターフェース８０８を介して対象のクライアント端末に送信する。他の場合、アクセスポイント８０２は、ページングメッセージをその高電力通信インターフェース８１２を介して送信またはブロードキャストする。（低電力インターフェースまたは高電力インターフェースのいずれかを介した）そのようなページングメッセージに応答して、アクセスポイント８０２は、その高電力通信インターフェース８１２を介して対象の受信者クライアント端末からの応答を受信することができる。
【００８４】
図９は、アクセスポイントがサービスするクライアント端末における電力節約を促進するためのアクセスポイントにおいて動作可能な方法を示す流れ図である。９０２において、アクセスポイントがクライアント端末のプロキシとして動作すべきことを指示する通知が、クライアント端末から受信されることができる。そのような通知は、アクセスポイントの高電力通信インターフェースまたは低電力通信インターフェースのいずれかも受信されることができる。クライアント端末に関連するページングチャネルは、サービスをクライアント端末に提供することによってアクセスポイントにすでに知られていることに留意されたい。９０４において、アクセスポイントは、クライアント端末をクライアントプロキシリストに追加する。９０６において、アクセスポイントは、ネットワーク通信インターフェースを介してページングメッセージを受信することができる。そのようなネットワーク通信インターフェースは、アクセスポイントを、拡張されたネットワークインフラストラクチャに結合することができる。９０８において、アクセスポイントは、受信したページングメッセージがプロキシリスト上のクライアント端末を対象としているかどうかを判断することができる。対象のクライアント端末がクライアントプロキシリスト中にない場合、９１０において、高電力（ロングレンジ）通信インターフェースを介してページングメッセージがブロードキャストされる。そうではなく、対象のクライアント端末がプロキシリスト中にある場合、９１２において、アクセスポイントは、低電力通信インターフェースを介してページングメッセージコンテンツの少なくとも一部分を対象のクライアント端末に送信する。ページングメッセージのこの一部分は、受信クライアント端末が送信アクセスポイントに対してページングメッセージに直接応答できるようにするために十分である。ページングメッセージが対応するクライアント端末に転送されると、９１４において、アクセスポイントのクライアントプロキシリストからクライアント端末が削除されることができる。９１６において、アクセスポイントは、高電力通信インターフェースを介してクライアント端末からページングメッセージに対する応答を受信することができる。
【００８５】
図１０は、プロキシホスト端末を使用することによって電力を節約するように構成されたクライアント端末の一例のブロック図である。クライアント端末１００２は、小型および／または低電力マイクロプロセッサなどの処理回路１００４を含むことができる。クライアント端末１００２はまた、クライアント端末１００２を、ホスト端末１０１２などにリンクして第１のワイヤレスネットワーク上のデバイスに結合するために使用される低電力通信インターフェース１００６を含むことができる。たとえば、低電力通信インターフェース１００６は、Ｂｌｕｅｔｏｏｔｈ対応ネットワークなどを介してショートレンジ通信用に使用されることができる。高電力通信インターフェース１０１０は、クライアント端末１００２が、ネットワークアクセスポイント１０１４などにリンクして第２のワイヤレスネットワーク上のデバイスと通信できるようにするために使用されることができる。たとえば、高電力通信インターフェース１０１０は、ＣＤＭＡ対応ネットワークなどを介してロングレンジ通信用に使用されることができる。クライアント端末１００２は、バッテリ式のことがあり、そのようなバッテリが供給することができる電力量は制限される。
【００８６】
従来技術の手法では、クライアント端末の高電力通信インターフェースは、ページングメッセージをリッスンするために、少なくともある時間間隔の間、電源投入されて、クライアント端末の内部電源（たとえば、バッテリ）からの電力を消耗する。たとえば、ページングチャネルは、番号付きのフレームに分割されることができる。クライアント端末は、端末固有のメッセージを受信できる特定のフレームを割り当てられることができる。そのようなページングチャネルを用いて、クライアント端末は、不連続受信（ＤＲＸ）動作に入ることができ、それによって、その高電力インターフェースを使用してメッセージについてページングチャネルを、連続的にではなく、周期的に監視する。ＤＲＸ動作にある間、クライアント端末は、その割り当てられたフレームより前に「スリープ」状態から起動し、「アウェイク」状態に入り、メッセージについてページングチャネルを処理または監視し、追加の通信が必要でない場合にはスリープ状態に戻る。そのような従来技術のクライアント端末は、ページングチャネルを監視するために連続的に電源投入されないが、やはりあらかじめ決定された間隔で電源投入され、それによりクライアントデバイスの内部バッテリを消耗する。
【００８７】
対照的に、クライアント端末１００２は、プロキシホスト端末を使用することによって節電の改善を達成するように構成されることができる。クライアント端末１００２は、ホスト端末１０１２がそのページングチャネルを監視するためのプロキシとして働くように要求する。次いで、クライアント端末１００２は、電力を節約するためにその高電力通信インターフェース１０１０をオフにする。次いで、クライアント端末は、クライアント端末１００２を対象とするページングメッセージの少なくとも一部分をホスト端末が転送したどうかを判断するために、その低電力通信インターフェース１００６を監視することができる。ページングメッセージの少なくとも一部分が低電力通信インターフェース１００６上で受信された場合、クライアント端末１００２は、ページングメッセージを開始または送信したアクセスポイント１０１４にその高電力通信インターフェース１０１０を介して応答する。
【００８８】
図１１は、プロキシホスト端末を使用することによって電力を節約するためのクライアント端末において動作可能な方法を示す流れ図である。最初に、１１０２において、クライアント識別子と、クライアント端末に関連する１つまたは複数のページングチャネルとを含むことができ、ホスト端末がクライアント端末のプロキシとして働くべきことを指示するメッセージが、ホスト端末に送信されることができる。次いで、１１０４において、クライアント端末は、その高電力通信インターフェースを電源切断することができる。次いで、１１０６において、クライアント端末は、低電力通信インターフェースを介してホスト端末からのページングメッセージをリッスンすることができる。１１０８において、クライアント端末は、ページング情報とともに起動メッセージが受信されたかどうかを判断することができる。起動メッセージが受信されていない場合、１１０６において、クライアント端末は、その低電力通信インターフェースを介してホスト端末からのページングメッセージをリッスンし続けることができる。他の場合は、１１１０において、クライアント端末は、その高電力通信インターフェースを電源投入することができる。高電力通信インターフェースが電源投入されると、クライアント端末は、ページングメッセージを開始したアクセスポイントに直接応答するために、その高電力通信インターフェースを使用することができる。
【００８９】
クライアント端末の高電力通信インターフェースを電源切断し、ページングメッセージについてクライアント端末のページングチャネルを監視するためにホスト端末（またはプロキシ）を使用することによって、電力が節約される。電力消費がより少なくなると、クライアント端末は、所与のバッテリ充電でより長い間動作でき、したがってクライアント端末の待機時間を延長することが可能になる。クライアント端末は、一般に、モバイル通信に使用されるので、延長された時間期間、クライアント端末のバッテリを再充電または交換することなしに移動することがしばしば必要である。したがって、利便性を増大させ、バッテリ枯渇によるページングメッセージの紛失の可能性を低減するために、所与の電池サイズに対して待機時間を延長することは大いに望ましい。
【００９０】
従来技術の手法では、クライアント端末は、前述のように時間の大部分をアイドルモードに費やす。たとえば、Ｗ−ＣＤＭＡの場合、アイドル状態の時間は９９％ほどにもなることがある。しかしながら、それでもクライアント端末は、その関連するページングチャネル上でページングメッセージをリッスンするためにその高電力通信インターフェースをオンとオフに循環させるので、アイドルモードにおいてさえ電力を消費している。したがって、上述のように、（ＷＣＤＭＡを含む）ＣＤＭＡ対応の従来技術によるクライアント端末の場合、アイドルモード中の電流消費は２．５〜３ｍＡの範囲になることがある。
【００９１】
しかしながら、クライアント端末の高電力通信インターフェースをより長い時間期間にわたって閉じ、低電力通信インターフェースを介したプロキシホスト端末からのページング通知に依拠することによって、電力消費が著しく低減されることができる。たとえば、低電力通信インターフェース（たとえば、ページスキャンモードにおけるＢｌｕｅｔｏｏｔｈインターフェース）は０．３ｍＡほどの低さになることができ、スニッフモードを使用すればさらに低減されることができる。たとえば、低電力通信インターフェースを使用して１．３秒のスニッフサイクルを用いると、電流消費は０．０３ｍＡに低減されることができる。アイドル状態の電力消費を低減しおよび／またはクライアント端末の高電力通信インターフェースを完全にオフにすることによって、内部バッテリまたは電源の寿命が延長されることができる。
【００９２】
図１、図２、図３、図４、図５、図６、図７、図８、図９、図１０、および／または図１１で示されたコンポーネント、ステップ、および／または機能のうちの１つまたは複数が、擬似乱数生成の動作に影響を及ぼすことなく、単一のコンポーネント、ステップ、または機能に再編成され、および／または組み合わされることができ、あるいは、いくつかのコンポーネント、ステップ、または機能で実施することができる。また、本発明から逸脱することなく追加のエレメント、コンポーネント、ステップ、および／または機能が追加されることができる。図１、図３、図４、図６、図８、および／または図１０に示された装置、デバイス、および／またはコンポーネントは、図２、図５、図７、図９、および／または図１１に記載された方法、特徴、またはステップのうちの１つまたは複数を実行するように構成されることができる。本明細書で説明された新規のアルゴリズムは、ソフトウェアおよび／または組込みハードウェアで効率的に実施されることができる。
【００９３】
さらに、本明細書で開示された実施形態に関連して説明された様々な例示的な論理ブロック、モジュール、回路、およびアルゴリズムステップは、電子ハードウェア、コンピュータソフトウェア、または両方の組合せとして実装されることができることを、当業者は諒解されよう。ハードウェアとソフトウェアのこの互換性を明確に示すために、様々な例示的なコンポーネント、ブロック、モジュール、回路、およびステップが、上記では概してそれらの機能に関して説明された。そのような機能が、ハードウェアとして実装されるか、ソフトウェアとして実装されるかは、特定の適用例および全体的なシステムに課される設計制約に依存する。
【００９４】
本明細書で説明された本発明の様々な特徴は、本発明から逸脱しなければ様々なシステムで実装されることができる。上記の実施形態は例にすぎず、本発明を限定するものと解釈すべきではないことに留意されたい。実施形態についての説明は、例示的なものであり、特許請求の範囲を限定するものではない。したがって、本教示は、他のタイプの装置、ならびに多くの代替形態、修正形態、および変更形態に容易に適用できることが当業者には明らかであろう。
以下に、本願出願の当初の特許請求の範囲に記載された発明を付記する。
［Ｃ１］
アクセスポイントと通信するための第１の通信インターフェースと、
ホスト端末と通信するための第２の通信インターフェースと、
前記第１の通信インターフェースと前記第２の通信インターフェースとの間に結合された処理回路であって、
前記クライアント端末のプロキシとして動作するように要求するメッセージを前記ホスト端末に送信し、
前記第１の通信インターフェースを電源切断し、
前記第１の通信インターフェースを介して前記ホスト端末からのメッセージをリッスンし、
前記ホスト端末からのページングメッセージの少なくとも一部分を受信し、
前記第１の通信インターフェースを電源投入し、
前記第１の通信インターフェースを介して、前記ページングメッセージを開始したアクセスポイントに対して直接前記ページングメッセージに応答する、
ように構成された処理回路と、
を備えるクライアント端末。
［Ｃ２］
前記ページングメッセージの前記受信した一部分は、前記クライアント端末が前記アクセスポイントに対して直接前記ページングメッセージに応答するのに十分である、Ｃ１に記載のクライアント端末。
［Ｃ３］
前記第１の通信インターフェースは、ＣＤＭＡ（符号分割多元接続（Code Division Multiple Access））対応インターフェースであり、前記第２の通信インターフェースは、任意のＢｌｕｅｔｏｏｔｈ対応インターフェースである、Ｃ１に記載のクライアント端末。
［Ｃ４］
前記ページングメッセージを受信するための前記第２の通信インターフェースを使用することは、前記第１の通信インターフェースを使用する場合よりも電力消費が少ない、Ｃ１に記載のクライアント端末。
［Ｃ５］
前記受信したページングメッセージの前記一部分は、トラフィックチャネルおよびセクタのうちの少なくとも一方を含む、Ｃ１に記載のクライアント端末。
［Ｃ６］
前記処理回路は、
前記クライアント端末のプロキシとして動作することに同意する前記ホスト端末からの確認応答を受信する、
ように構成される、Ｃ１に記載のクライアント端末。
［Ｃ７］
前記第１の通信インターフェースは、前記第２の通信インターフェースよりも長いレンジを有する、Ｃ１に記載のクライアント端末。
［Ｃ８］
前記第１の通信インターフェースは、前記第２の通信インターフェースよりも広い帯域幅を有する、Ｃ１に記載のクライアント端末。
［Ｃ９］
前記処理回路は、
前記クライアント端末に関連する少なくとも１つのページングチャネルを前記ホスト端末へ送信する、
ように構成される、Ｃ１に記載のクライアント端末。
［Ｃ１０］
前記第１の通信インターフェースおよび前記第２の通信インターフェースのうちの少なくとも一方は、ワイヤレス通信インターフェースである、Ｃ１に記載のクライアント端末。
［Ｃ１１］
クライアント端末上で動作可能な方法であって、
前記クライアント端末のプロキシとして動作するように要求するメッセージを前記ホスト端末に送信することと、
第１の通信インターフェースを電源切断することと、
前記第１の通信インターフェースを介して前記ホスト端末からのメッセージをリッスンすることと、
前記ホスト端末からのページングメッセージの少なくとも一部分を受信することと、
前記第１の通信インターフェースを電源投入することと、
前記第１の通信インターフェースを介して、前記ページングメッセージを開始したアクセスポイントに対して直接前記ページングメッセージに応答することと、
を備える方法。
［Ｃ１２］
前記ホスト端末によって送信された前記受信したページングメッセージの前記一部分は、前記クライアント端末が前記アクセスポイントに対して直接前記ページングメッセージに応答するのに十分な情報を含む、Ｃ１１に記載の方法。
［Ｃ１３］
前記第１の通信インターフェースは、ＣＤＭＡ（符号分割多元接続（Code Division Multiple Access））対応インターフェースであり、前記第２の通信インターフェースは、任意のＢｌｕｅｔｏｏｔｈ対応インターフェースである、Ｃ１１に記載の方法。
［Ｃ１４］
前記ページングメッセージを受信するための前記第２の通信インターフェースを使用することは、前記第１の通信インターフェースを使用する場合よりも電力消費が少ない、Ｃ１１に記載の方法。
［Ｃ１５］
クライアント端末のプロキシとして動作するように要求するメッセージを前記ホスト端末に送信するための手段と、
第１の通信インターフェースを電源切断するための手段と、
前記第１の通信インターフェースを介して前記ホスト端末からのメッセージをリッスンするための手段と、
前記ホスト端末からのページングメッセージの少なくとも一部分を受信するための手段と、
前記第１の通信インターフェースを電源投入するための手段と、
前記第１の通信インターフェースを介して、前記ページングメッセージを開始したアクセスポイントに対して直接前記ページングメッセージに応答するための手段と、
を備えるクライアント端末。
［Ｃ１６］
前記ホスト端末によって送信された前記ページングメッセージの前記一部分は、前記クライアント端末が前記アクセスポイントに対して直接前記ページングメッセージに応答するのに十分な情報を含む、Ｃ１５に記載のクライアント端末。
［Ｃ１７］
前記第１の通信インターフェースおよび前記第２の通信インターフェースのうちの少なくとも一方は、ワイヤレス通信インターフェースである、Ｃ１５に記載のクライアント端末。
［Ｃ１８］
クライアント端末における電力を節約するための、前記クライアント端末上で動作可能な１つまたは複数の命令であって、プロセッサによって実行されたとき、前記プロセッサに、
前記クライアント端末のプロキシとして動作するように要求するメッセージを前記ホスト端末に送信することと、
第１の通信インターフェースを電源切断することと、
前記第１の通信インターフェースを介して前記ホスト端末からのメッセージをリッスンすることと、
前記ホスト端末からのページングメッセージの少なくとも一部分を受信することと、
前記第１の通信インターフェースを電源投入することと、
前記第１の通信インターフェースを介して、前記ページングメッセージを開始したアクセスポイントに対して直接前記ページングメッセージに応答することと、
を行わせる１つまたは複数の命令を有するプロセッサ可読媒体。
［Ｃ１９］
前記ページングメッセージを受信するための前記第２の通信インターフェースを使用することは、前記第１の通信インターフェースを使用する場合よりも電力消費が少ない、Ｃ１８に記載のプロセッサ可読媒体。
［Ｃ２０］
前記第１の通信インターフェースおよび前記第２の通信インターフェースの両方は、ワイヤレス通信インターフェースである、Ｃ１８に記載のプロセッサ可読媒体。
［Ｃ２１］
前記第１の通信インターフェースは、前記第２の通信インターフェースよりも長いレンジを有する、Ｃ２０に記載のプロセッサ可読媒体。
［Ｃ２２］
クライアント端末のプロキシとして動作するように要求するメッセージを前記ホスト端末に送信し、
第１の通信インターフェースを電源切断し、
前記第１の通信インターフェースを介して前記ホスト端末からのメッセージをリッスンし、
前記ホスト端末からのページングメッセージの少なくとも一部分を受信し、
前記第１の通信インターフェースを電源投入し、
前記第１の通信インターフェースを介して、前記ページングメッセージを開始したアクセスポイントに対して直接前記ページングメッセージに応答する、
ように構成された処理回路、
を備えるプロセッサ。
［Ｃ２３］
前記ページングメッセージを受信するための前記第２の通信インターフェースを使用することは、前記第１の通信インターフェースを使用する場合よりも電力消費が少ない、Ｃ２２に記載のプロセッサ。
［Ｃ２４］
前記第１の通信インターフェースは、前記第２の通信インターフェースよりも長いレンジを有する、Ｃ２２に記載のプロセッサ。
【図１】
0005677860.tif 000003
【図２】
0005677860.tif 000004
【図３】
0005677860.tif 000005
【図４】
0005677860.tif 000006
【図５】
0005677860.tif 000007
【図６】
0005677860.tif 000008
【図７】
0005677860.tif 000009
【図８】
0005677860.tif 000010
【図９】
0005677860.tif 000011
【図１０】
0005677860.tif 000012
【図１１】
0005677860.tif 000013